(57)【特許請求の範囲】
【請求項１】
少なくとも１枚の上部伝導板、
少なくとも１枚の下部伝導板、および、
上部伝導板と下部伝導板との間に延在するコアであって、コア媒体と、コア媒体に埋設され、かつ、上部伝導板と下部伝導板との間に延在する複数の離間したコア部材とを含むコア、
を含むサンドイッチ輸送手段構造物内で電磁放射を閉じ込めて伝搬させるためのサンドイッチ輸送手段構造物であって、
コア媒体とコア部材とが、コア内の電磁放射の伝搬を可能とする異なった電磁特性を備え、前記コア内に配置された、コマンド、データ、または、電子情報を処理または解読する電子部品、または、前記コア内の電磁放射を収集し、かつ、収集した電磁放射を電力に変換する電力部のうち、少なくとも１つを含む、
サンドイッチ輸送手段構造物。
【請求項２】
サンドイッチ輸送手段構造物が、航空機構造物、胴体、翼、航空機床部、内部航空機構成部品、航空機の前縁、宇宙機構造物、衛星構造物、船舶構造物、潜水艦構造物、ロケット構造物、ミサイル構造物、陸上輸送手段構造物、軍用輸送手段構造物および自動車構造物のうちの少なくとも１つを含む請求項１に記載のサンドイッチ輸送手段構造物。
【請求項３】
複数の離間したコア部材により複数の電磁経路が形成されており、離間したコア部材の間隔が、電磁放射の伝搬の周波数を決定する請求項１に記載のサンドイッチ輸送手段構造物。
【請求項４】
コア媒体が、１より大きい値および１と等しい値の少なくとも一方の誘電率を有する非伝導領域を含み、かつ、コア部材が、伝導材料、コア媒体の誘電率より高い誘電率と低い誘電率とのうちの少なくとも一方を有する非伝導材料、および、伝導材料と非伝導材料との組み合わせにより形成された混成材料のうちの少なくとも１つを含む請求項１に記載のサンドイッチ輸送手段構造物。
【請求項５】
伝搬する電磁放射が、電力源とデータとのうちの少なくとも一方を含む請求項１に記載のサンドイッチ輸送手段構造物。
【請求項６】
コアのチャネル内に埋設されて電磁放射を結合するアンテナと、
データを受信および送信する送受信機と、
物理的環境を検知するための変換器と、
電磁放射を検出する無線検知装置と、を更に含み、
前記電力部は、チャネルにおける電磁放射を収集し、かつ、収集した電磁放射を無線検知装置用に使用可能な電力に変換する、
請求項１に記載のサンドイッチ輸送手段構造物。
【請求項７】
上部伝導板と下部伝導板との間に延在するコアであって、コア内に延在する複数の一体型無線電磁経路を含むコアを含むサンドイッチ輸送手段構造物を設ける工程と、
コア内の経路のうちの少なくとも１本に沿って電磁放射を伝搬させる工程と、
前記コア内に配置された電力部を用いて、前記コア内の電磁放射を収集し、かつ、収集した電磁放射を電力に変換する工程、又は、前記コア内に配置された電子部品を用いて、コマンド、データ、または、電子情報を処理または解読する工程のうち、少なくとも１つを含む、電磁放射を伝搬させる方法。
【請求項８】
コア内の経路およびチャネルのうちの少なくとも一方を独立した通信チャネルとして用いて、無線通信システムの性能改善、屋外の無線システムの帯域幅およびデータ転送速度の向上、周囲の干渉および妨害電波源のうちの少なくとも１つからの隔離、周囲の環境からの隔離による安定した通信の保証、および、無線システムの認証プロセスの促進のうちの少なくとも１つを行う工程をさらに含む請求項７に記載の方法。
【請求項９】
電磁放射によってコア内のチャネルとコア内の電磁経路とのうちの少なくとも一方に応答指令信号を送って、コアの健全性に関する情報を得る工程をさらに含む請求項７に記載の方法。
【請求項１０】
電磁放射を伝搬させる工程が、電磁放射源を利用し、かつ、前記方法が、伝搬する電磁放射の送信および受信の少なくとも一方を行う送受信機の工程をさらに含む請求項７に記載の方法。
【請求項１１】
前記方法が、いかなる有線電源、有線データ源および電池も利用しない請求項７に記載の方法。
【請求項１２】
サンドイッチ輸送手段構造物内で電磁放射を閉じ込めて伝搬させるためのサンドイッチ輸送手段構造物を含む輸送手段であって、サンドイッチ輸送手段構造物が、少なくとも１枚の上部伝導板、少なくとも１枚の下部伝導板、および、上部伝導板と下部伝導板との間に延在するコアを含み、コアが、コア媒体と、コア媒体に埋設され、かつ、上部伝導板と下部伝導板との間に延在する複数の離間したコア部材とを含み、
コア媒体とコア部材とが、コア内の電磁放射の伝搬を可能とする異なった電磁特性を備え、前記コア内に配置された、コマンド、データ、または、電子情報を処理または解読する電子部品、または、前記コア内の電磁放射を収集し、かつ、収集した電磁放射を電力に変換する電力部のうち、少なくとも１つを含み、
輸送手段が、航空機、宇宙機、衛星、船舶、潜水艦、ロケット、ミサイル、陸上輸送手段、軍用輸送手段および自動車のうちの少なくとも１つを含み、かつ、
サンドイッチ輸送手段構造物が、航空機構造物、胴体、翼、航空機床部、内部航空機構成部品、航空機の前縁、宇宙機構造物、衛星構造物、船舶構造物、潜水艦構造物、ロケット構造物、ミサイル構造物、陸上輸送手段構造物、軍用輸送手段構造物および自動車構造物のうちの少なくとも１つを含む輸送手段。
【発明の詳細な説明】
【技術分野】
【０００１】
本開示は、一体型電磁放射経路を有するサンドイッチ輸送手段構造物に関する。
【背景技術】
【０００２】
一体型センサ網を通じて航空機のような輸送手段の性能に関するリアルタイムの輸送手段健全性情報にアクセスできることは有益である。有線システムは、これらの目的のために存在するが、この種のシステムは、必要とされる何千もの配線や相互接続により重量およびコストが増加する。屋外の無線システムは、これらの目的のために存在するが、この種のシステムは、非効率的である可能性、必要以上の電力供給を要する可能性、重量が増大する可能性、ならびに、放射がアビオニクス機器および意図しない送受信機に伝搬すると干渉およびデータ不一致に寄与する可能性がある。
【０００３】
既存の電磁放射システムおよび／または方法の１つ以上に付随する１つ以上の問題を軽減するために、電磁放射を制御された手法で伝搬させる電磁放射システムおよび／または方法が必要である。
【発明の概要】
【０００４】
本開示の一実施形態では、サンドイッチ輸送手段構造物内で電磁放射を閉じ込めて伝搬させるためのサンドイッチ輸送手段構造物を開示する。サンドイッチ輸送手段構造物は、少なくとも１枚の上部伝導板と、少なくとも１枚の下部伝導板と、上部伝導板と下部伝導板との間に延在するコアとを含んでいてもよい。コアは、コア媒体と、コア媒体に埋設され、かつ、上部伝導板と下部伝導板との間に延在する複数の離間したコア部材とを含んでいてもよい。コア媒体およびコア部材は、コア内の電磁放射の伝搬を可能としてもよい。
【０００５】
本開示の別の実施形態において、電磁放射を伝搬させる方法を開示する。一工程において、上部伝導板と下部伝導板との間に延在するコアを含むサンドイッチ輸送手段構造物を設けてもよい。コアは、コア内で延在する複数の一体型無線電磁経路を含んでいてもよい。別の工程において、電磁放射は、コア内で一体型無線電磁経路のうちの少なくとも１本に沿って伝搬させてもよい。
【０００６】
本開示のさらなる実施形態において、サンドイッチ輸送手段構造物内で電磁放射を閉じ込めて伝搬させるためのサンドイッチ輸送手段構造物を含む輸送手段を開示する。サンドイッチ輸送手段構造物は、少なくとも１枚の上部伝導板と、少なくとも１枚の下部伝導板と、上部伝導板と下部伝導板との間に延在するコアとを含んでいてもよい。コアは、コア媒体と、コア媒体に埋設され、かつ、上部伝導板と下部伝導板との間に延在する複数の離間したコア部材とを含んでいてもよい。コア媒体およびコア部材は、コア内の電磁放射の伝搬を可能としてもよい。輸送手段は、航空機、宇宙機、衛星、船舶、潜水艦、ロケット、ミサイル、陸上輸送手段、軍用輸送手段および自動車のうちの少なくとも１つを含んでいてもよい。サンドイッチ輸送手段構造物は、航空機構造物、胴体、翼、航空機床部、内部航空機構成部品、航空機の前縁、宇宙機構造物、衛星構造物、船舶構造物、潜水艦構造物、ロケット構造物、ミサイル構造物、陸上輸送手段構造物、軍用輸送手段構造物および自動車構造物のうちの少なくとも１つを含んでいてもよい。
【０００７】
本開示のこれらならびにその他の特徴、態様および利点は、以下の図面、説明および請求項を参照してよりよく理解されるだろう。
【図面の簡単な説明】
【０００８】
【図１】図１は、サンドイッチ輸送手段構造物内で電磁放射を閉じ込めて伝搬させるための輸送手段のサンドイッチ輸送手段構造物の例示的実施形態の斜視図である。
【図２】図２は、図１の実施形態の２−２線断面図である。
【図３】図３は、上部伝導板が取り除かれた図１の実施形態の上面図である。
【図４】図４は、電磁放射を伝搬させる方法の一実施形態のフロー図である。  ここで用いられているように、例示的な用語は、一例に言及しているのであって、必ずしも理想に言及しているわけではない。
【発明を実施するための形態】
【０００９】
以下の詳細な説明は、本開示を実施する現在もっともよく考えられている態様を記載している。該説明は、限定的な意味で捉えるべきではなく、本開示の一般的原理を例示する目的で記載しているに過ぎない。本開示の範囲は、添付の請求項によってもっともよく定義されているからである。
【００１０】
図１は、サンドイッチ輸送手段構造物１０内で電磁放射１２を閉じ込めて伝搬させるための輸送手段１１のサンドイッチ輸送手段構造物１０の一実施形態の斜視図である。輸送手段１１は、航空機、宇宙機、衛星、船舶、潜水艦、ロケット、ミサイル、陸上輸送手段、軍用輸送手段、自動車といったあらゆる種類の輸送手段および／または別の種類の輸送手段を含んでいてもよい。サンドイッチ輸送手段構造物１０は、無線で電磁放射１２を伝搬させるよう適合されていてもよく、かつ、いかなる有線の電源、有線のデータ源または電池も含んでいてはならない。サンドイッチ輸送手段構造物１０は、胴体、翼、航空機床部、内部航空機構成部品、航空機の前縁もしくは航空機の別の部分といった航空機構造物、宇宙機構造物、衛星構造物、船舶構造物、潜水艦構造物、ロケット構造物、ミサイル構造物、陸上輸送手段構造物、軍用輸送手段構造物、自動車構造物、または、別の種類の輸送手段構造物を含んでいてもよい。
【００１１】
図２は、図１の実施形態の２−２線断面図である。図１および図２に示されているように、サンドイッチ輸送手段構造物１０は、少なくとも１枚の上部伝導板１４と、少なくとも１枚の下部伝導板１６と、上部伝導板１４と下部伝導板１６との間に延在するコア１８とを含んでいてもよい。図３は、上部伝導板１４が取り除かれた図１の実施形態の上面図である。ここで用いられているように、「上部」および「下部」といった用語は、相対的位置を示すために用いられており、該当する装置やシステムが動作中に特定の構成または向きに保たれている必要があるわけではない。
【００１２】
図２および図３に示されているように、コア１８は、コア媒体２０と、コア媒体２０に埋設され、かつ、上部伝導板１４と下部伝導板１６との間に延在する複数の離間したコア部材２２とを含んでいてもよい。コア媒体２０とコア部材２２とは、それぞれ、コア１８内の電磁放射１２の伝搬を可能とする異なった電磁特性を有していてもよい。コア媒体２０およびコア部材２２は、それぞれ、誘電体材料、空隙（開口）および／または伝導材料のうちの少なくとも１つから作成されていてもよい。一実施形態において、コア媒体２０は、誘電体材料から作成されていてもよく、かつ、コア部材２２は、コア媒体２０より高いまたは低い誘電率を有する誘電体材料から作成されていてもよい。別の実施形態において、コア媒体２０は、空気または気体から作成されていてもよく、かつ、コア部材２２は、誘電体材料および／または伝導材料から作成されていてもよい。さらに別の実施形態において、コア媒体２０は、誘電体材料から作成されていてもよく、かつ、コア部材２２は、伝導材料に囲まれた空気または気体から作成されていてもよい。コア媒体２０は、誘電率が１以上の非伝導領域を含んでいてもよく、かつ、コア部材２２は、伝導材料、コア媒体２０の誘電率より高い誘電率と低い誘電率とのうちの少なくとも一方を有する非伝導材料、および／または、伝導材料と非伝導材料との組み合わせにより形成された混成材料を含んでいてもよい。その他の実施形態では、コア媒体２０およびコア部材２２の組成はさまざまであってもよい。
【００１３】
図３に示されているように、コア媒体２０およびコア部材２２は、それぞれ、コア１８内のコア部材２２により束ねられた一体型無線電磁経路２４に沿って電磁放射１２を伝搬させることができてもよい。電磁経路２４は、コア１８を貫通して形成されていてもよい。電磁経路２４は、複数の離間したコア部材２２により形成されていてもよく、かつ、離間されたコア部材２２の間隔が、電磁放射１２の伝搬の周波数を決定してもよい。電磁経路２４の方向は、任意であってもよく、かつ、離間されたコア部材２２の大きさ３０、形状３２、間隔３４および材料特性３６のうちの少なくとも１つに基づいて決定されてもよい。このように、離間されたコア部材２２の大きさ３０、形状３２、間隔３４および材料特性３６を変化させることにより、コア１８内および／またはコア１８を貫通して、異なる方向を有するさまざまな電磁経路２４を形成してもよい。
【００１４】
サンドイッチ輸送手段構造物１０は、１つ以上の電磁送受信機３８、電子部品２９、変換器３１、電力部３３および／またはコア１８に埋設された１つ以上のセンサ４０をさらに含んでいてもよい。送受信機３８は、電磁経路２４に沿ってコア１８内で電磁放射１２を伝搬させるよう、かつ／または、データを受信および／または送信するよう適合されていてもよい。電子部品２９は、コマンド、センサデータおよび／またはその他の種類の情報のうちの少なくとも１つを処理および／または解読するよう適合されていてもよい。センサ４０は、無線であり、かつ、コア１８内を伝搬する電磁放射１２を検出／検知するよう適合されていてもよい。変換器３１は、コア１８内またはコア１８の外部の物理的環境を検知するよう適合されていてもよい。電力部３３は、コア１８の１本以上のチャネル２８における電磁放射１２を取り入れ、取り入れた電磁放射１２を無線センサ４０用に使用可能な電力に変換するよう適合されていてもよい。
【００１５】
電磁経路２４は、電磁放射１２をコア１８内で伝搬させて、センサ４０および／または送受信機３８に電力供給することができてもよい。電磁放射１２は、電磁アンテナ、アパーチャ、プローブおよび／またはコア１８の１本以上のチャネル２８内に設置されたその他の種類の放射装置を含む１つ以上の放射装置２６により、コア１８内の一体型無線電磁経路２４のうちの少なくとも１本に沿って伝搬されてもよい。１つ以上のコンピュータ処理装置５２および／または１つ以上の表示装置５４がセンサ４０および／または送受信機３８に接続されていてもよい。コアの伝搬性とともにセンサ４０、コンピュータ処理装置５２および表示装置５４の構成要素を組み合わせることにより、あらゆる航空機搭載システム用のセンサによる健全性管理システムが使用可能となってもよい。これらのシステムは、配線、燃料、油圧、環境制御、飛行制御、客室システムまたはその他のあらゆる既存もしくは新生のシステムを含んでいてもよい。構造的健全性を監視する目的には、コア１８の特定の範囲内で生じた可能性のある損傷を示すための自己監視構造システムを規定するよう処理装置５２および表示装置５４とともに送受信機３８、４２が機能してもよい。送受信機３８、４２は、電磁経路２４のいずれかの端部においてサンドイッチ構造物１０の外周に沿って配置されていてもよく、これにより、格子により規定されたあらゆる行または列に沿った伝搬が可能となる。送受信機対のいずれかを作動させることにより、チャネルに応答指令信号が送られ、チャネルに対する健全性評価を行うことができる。これにより、任意の位置での高空間解像度評価が可能となってもよい。応答指令信号の送信は、内蔵処理能力を有するセンサ４０を利用して行ってもよい。
【００１６】
一実施形態において、サンドイッチ輸送手段構造物１０は、コア１８内で電磁放射１２を伝搬させるための少なくとも１つの電磁放射源３８と、コア１８内で伝搬する電磁放射１２を受信および／または送信するための少なくとも１つの送受信機３８とを含んでいてもよい。コア１８内で電磁放射源３８により放出され、送受信機３８により受信および／または送信される伝搬する電磁放射１２は、送電４４のための少なくとも１つの変調のかかっていない形態を含んでいてもよく、かつ／または、データ４６で変調されていてもよい。コア１８内で伝搬される電磁放射１２は、送受信機３８および／またはセンサ４０に電力を供給してもよい。変調または無変調電磁放射をあらゆる２つの送受信機３８またはセンサ４０とともに用いて、チャネルの健全性を評価してもよく、該健全性は、構造物１０の健全性をも示す。
【００１７】
別の実施形態において、サンドイッチ輸送手段構造物１０は、コア１８内で電磁放射１２を伝搬させるための少なくとも１つの電磁放射源３８と、コア１８内で伝搬する電磁放射１２を検知するためのコア１８内に埋設された少なくとも１つのセンサ４０とを含んでいてもよい。コア１８内で電磁放射源３８により放出され、センサ４０により検知／検出される伝搬する電磁放射１２には、応答指令信号が送られ、コア１８の１つ以上の範囲における損傷を示す電磁放射１２のばらつきを検出してもよい。
【００１８】
図４は、電磁放射１２を伝搬させる方法１６０の一実施形態のフロー図である。該方法は、いかなる有線電源、有線データ源および／または電池も利用してはならない。工程１６２において、電磁放射１２の伝搬周波数を制御するために、コア部材２２の間隔を予め決定してもよい。工程１６４において、電磁経路２４の方向を制御するために、コア部材２２の大きさ、形状、間隔および材料特性のうちの少なくとも１つを予め決定してもよい。
【００１９】
工程１６６において、上部伝導板１４と下部伝導板１６との間に延在するコア１８を含む、輸送手段１１のサンドイッチ輸送手段構造物１０を設けてもよい。輸送手段１１は、航空機、宇宙機、衛星、船舶、潜水艦、ロケット、ミサイル、陸上輸送手段、軍用輸送手段、自動車といったあらゆる種類の輸送手段および／または別の種類の輸送手段を含んでいてもよい。サンドイッチ輸送手段構造物１０は、胴体、翼、航空機床部、内部航空機構成部品、航空機の前縁もしくは航空機の別の部分といった航空機構造物、宇宙機構造物、衛星構造物、船舶構造物、潜水艦構造物、ロケット構造物、ミサイル構造物、陸上輸送手段構造物、軍用輸送手段構造物、自動車構造物、または、別の種類の輸送手段構造物を含んでいてもよい。コア１８は、コア媒体２０と、コア媒体２０に埋設され、かつ、上部伝導板１４と下部伝導板１６との間に延在する複数の離間したコア部材２２とを含んでいてもよい。コア媒体２０は、誘電体材料、空気、気体、伝導材料および／またはその他の種類の材料および／または気体から作成されていてもよく、かつ、コア部材２２は、誘電体材料、空気、気体、伝導材料および／またはその他の種類の材料および／または気体から作成されていてもよい。コア部材２２は、コア媒体２０より高いまたは低い誘電率を有していてもよい。コア媒体２０は、誘電率が１以上の非伝導領域を含んでいてもよく、かつ、コア部材２２は、伝導材料、コア媒体２０の誘電率より高い誘電率および低い誘電率のうちの少なくとも一方を有する非伝導材料、および／または、伝導材料と非伝導材料との組み合わせにより形成された混成材料を含んでいてもよい。さらに他の実施形態では、コア媒体２０およびコア部材２２の組成はさまざまであってもよい。コア１８は、コア１８内および／またはコア１８を貫通して延在する複数の一体型無線電磁経路２４を含んでいてもよい。電磁経路２４は、複数の離間したコア部材２２により形成されていてもよい。
【００２０】
工程１６８において、コア１８のチャネル２８内に設置された電磁アンテナ、アパーチャまたはプローブといった放射装置２６により、コア１８内の一体型無線電磁経路２４のうちの少なくとも１本に沿って電磁放射１２を伝搬させてもよい。電磁放射源３８は、コア１８内および／またはコア１８を貫通した電磁経路２４の１本以上に沿って電磁放射１２を伝搬させてもよい。伝搬されている電磁放射１２は、変調されたデータキャリアであってもよい。電磁放射１２はまた、変調がかかっていなくともよく、かつ、内蔵型または別個の電力部３３を用いてセンサ４０および／または送受信機３８に電力供給するために電磁放射１２を変換することのできる特別に設計されたセンサ４０または送受信機３８に電源を提供してもよい。センサ４０および／または送受信機３８上のデータ分析および処理部を利用してチャネル応答を分析することにより構造応答に対する経路に応答指令信号を送るために、電磁エネルギーを用いることもできる。
【００２１】
工程１７０において、少なくとも１つの送受信機３８を用いて、コア１８内を伝搬する電磁放射１２を受信および／または送信してもよい。受信および／または送信した伝搬電磁放射１２は、電力４４の変調のかかっていない形態／源と変調されたデータ４６とのうちの少なくとも一方を含んでいてもよい。工程１７２において、コア１８の健全性を監視するために、コア１８に埋設された少なくとも１つのセンサ４０を用いてコア１８内で伝搬する電磁放射１２を検出してもよい。一実施形態において、電磁放射１２によってコア１８内の電磁経路２４および／またはチャネル２８の１つ以上に応答指令信号を送って、コア１８の健全性に関する情報を得てもよい。工程１７４において、コア１８内の経路２４およびチャネル２８のうちの少なくとも一方を独立した通信チャネルとして用いて、無線通信システムの性能改善、屋外の無線システムの帯域幅およびデータ転送速度の向上、周囲の干渉および妨害電波源のうちの少なくとも１つからの隔離、周囲の環境からの隔離による安定した通信の保証、および、無線システムの認証プロセスの促進のうちの少なくとも１つを行ってもよい。その他の実施形態において、方法１６０は、工程１６２〜工程１７４の順序を変えること、工程１６２〜工程１７４のうちの１つ以上を修正すること、工程１６２〜工程１７４のうちの１つ以上に従わないこと、および／または、１つ以上のさらなる工程を追加することにより変更してもよい。
【００２２】
本開示の１つ以上の実施形態は、輸送手段のサンドイッチ輸送手段構造物の全体にわたって無線一体型の任意の電磁経路に対して、重量、コストおよび／または整備を削減しつつリアルタイムで高解像度の無線健全性監視、無線通信および／または無線電力伝達を可能とすることにより、１つ以上の従来技術のシステムおよび／または方法の１つ以上の問題を低減してもよい。
【００２３】
当然ながら、上記は、本開示の例示的実施形態に関していること、かつ、以下の態様に記載されている本開示の精神および範囲を逸脱することなく修正を行ってもよいことは理解されるべきである。
（態様１）
少なくとも１枚の上部伝導板、
少なくとも１枚の下部伝導板、および、
上部伝導板と下部伝導板との間に延在するコアであって、コア媒体と、コア媒体に埋設され、かつ、上部伝導板と下部伝導板との間に延在する複数の離間したコア部材とを含むコア、
を含むサンドイッチ輸送手段構造物内で電磁放射を閉じ込めて伝搬させるためのサンドイッチ輸送手段構造物であって、
コア媒体とコア部材とが、コア内の電磁放射の伝搬を可能とする異なった電磁特性を備えるサンドイッチ輸送手段構造物。
（態様２）
サンドイッチ輸送手段構造物が、航空機構造物、胴体、翼、航空機床部、内部航空機構成部品、航空機の前縁、宇宙機構造物、衛星構造物、船舶構造物、潜水艦構造物、ロケット構造物、ミサイル構造物、陸上輸送手段構造物、軍用輸送手段構造物および自動車構造物のうちの少なくとも１つを含む態様１に記載のサンドイッチ輸送手段構造物。
（態様３）
複数の離間したコア部材により複数の電磁経路が形成されており、離間したコア部材の間隔が、電磁放射の伝搬の周波数を決定する態様１に記載のサンドイッチ輸送手段構造物。
（態様４）
複数の電磁経路が、コアを貫通して形成されている態様３に記載のサンドイッチ輸送手段構造物。
（態様５）
コア媒体が、１より大きい値および１と等しい値の少なくとも一方の誘電率を有する非伝導領域を含み、かつ、コア部材が、伝導材料、コア媒体の誘電率より高い誘電率と低い誘電率とのうちの少なくとも一方を有する非伝導材料、および、伝導材料と非伝導材料との組み合わせにより形成された混成材料のうちの少なくとも１つを含む態様１に記載のサンドイッチ輸送手段構造物。
（態様６）
コア内で電磁放射を伝搬させるための電磁放射源と、コア内で伝搬する電磁放射の送信と受信との少なくとも一方のための送受信機とのうちの少なくとも一方をさらに含む態様１に記載のサンドイッチ輸送手段構造物。
（態様７）
伝搬する電磁放射が、電力源とデータとのうちの少なくとも一方を含む態様１に記載のサンドイッチ輸送手段構造物。
（態様８）
コアのチャネル内に埋設されて電磁放射を結合するアンテナと、
データを受信および送信する送受信機と、
コマンドとセンサデータとのうちの少なくとも一方を処理および解読する電子部品と、
物理的環境を検知するための変換器と、
チャネルにおける電磁放射を取り入れ、かつ、取り入れた電磁放射を無線検知装置用に使用可能な電力に変換する電力部と
を含む無線検知装置をさらに含む態様１に記載のサンドイッチ輸送手段構造物。
（態様９）
上部伝導板と下部伝導板との間に延在するコアであって、コア内に延在する複数の一体型無線電磁経路を含むコアを含むサンドイッチ輸送手段構造物を設け、
コア内の経路のうちの少なくとも１本に沿って電磁放射を伝搬させる
ことを含む、電磁放射を伝搬させる方法。
（態様１０）
コアが、コア媒体と、コア媒体に埋設され、かつ、上部伝導板と下部伝導板との間に延在する複数の離間したコア部材とをさらに含む態様９に記載の方法。
（態様１１）
コア媒体が、１より大きい値および１と等しい値の少なくとも一方の誘電率を有する非伝導領域を含み、かつ、コア部材が、伝導材料、コア媒体の誘電率より高い誘電率と低い誘電率とのうちの少なくとも一方を有する非伝導材料、および、伝導材料と非伝導材料との組み合わせにより形成された混成材料のうちの少なくとも１つを含む態様１０に記載の方法。
（態様１２）
サンドイッチ輸送手段構造物が、航空機構造物、胴体、翼、航空機床部、内部航空機構成部品、航空機の前縁、宇宙機構造物、衛星構造物、船舶構造物、潜水艦構造物、ロケット構造物、ミサイル構造物、陸上輸送手段構造物、軍用輸送手段構造物および自動車構造物のうちの少なくとも１つを含む態様９に記載の方法。
（態様１３）
コア内の経路およびチャネルのうちの少なくとも一方を独立した通信チャネルとして用いて、無線通信システムの性能改善、屋外の無線システムの帯域幅およびデータ転送速度の向上、周囲の干渉および妨害電波源のうちの少なくとも１つからの隔離、周囲の環境からの隔離による安定した通信の保証、および、無線システムの認証プロセスの促進のうちの少なくとも１つを行う
工程をさらに含む態様９に記載の方法。
（態様１４）
電磁放射によってコア内のチャネルとコア内の電磁経路とのうちの少なくとも一方に応答指令信号を送って、コアの健全性に関する情報を得ることをさらに含む態様９に記載の方法。
（態様１５）
電磁放射を伝搬させる工程が、電磁放射源を利用し、かつ、前記方法が、伝搬する電磁放射の送信および受信の少なくとも一方を行う送受信機の工程をさらに含む態様９に記載の方法。
（態様１６）
前記方法が、いかなる有線電源、有線データ源および電池も利用しない態様９に記載の方法。
（態様１７）
サンドイッチ輸送手段構造物内で電磁放射を閉じ込めて伝搬させるためのサンドイッチ輸送手段構造物を含む輸送手段であって、サンドイッチ輸送手段構造物が、少なくとも１枚の上部伝導板、少なくとも１枚の下部伝導板、および、上部伝導板と下部伝導板との間に延在するコアを含み、コアが、コア媒体と、コア媒体に埋設され、かつ、上部伝導板と下部伝導板との間に延在する複数の離間したコア部材とを含み、
コア媒体とコア部材とが、コア内の電磁放射の伝搬を可能とする異なった電磁特性を備え、
輸送手段が、航空機、宇宙機、衛星、船舶、潜水艦、ロケット、ミサイル、陸上輸送手段、軍用輸送手段および自動車のうちの少なくとも１つを含み、かつ、
サンドイッチ輸送手段構造物が、航空機構造物、胴体、翼、航空機床部、内部航空機構成部品、航空機の前縁、宇宙機構造物、衛星構造物、船舶構造物、潜水艦構造物、ロケット構造物、ミサイル構造物、陸上輸送手段構造物、軍用輸送手段構造物および自動車構造物のうちの少なくとも１つを含む輸送手段。
（態様１８）
複数の離間したコア部材により複数の電磁経路が形成されており、離間したコア部材の間隔が、電磁放射の伝搬の周波数を決定する態様１７に記載の輸送手段。
（態様１９）
コア媒体が、１より大きい値および１と等しい値の少なくとも一方の誘電率を有する非伝導領域を含み、かつ、コア部材が、伝導材料、コア媒体の誘電率より高い誘電率と低い誘電率とのうちの少なくとも一方を有する非伝導材料、および、伝導材料と非伝導材料との組み合わせにより形成された混成材料のうちの少なくとも１つを含む態様１７に記載の輸送手段。
（態様２０）
コア内で電磁放射を伝搬させるための電磁放射源と、コア内で伝搬する電磁放射の送信と受信との少なくとも一方のための送受信機とのうちの少なくとも一方をさらに含む態様１７に記載の輸送手段。
【図１】
0005296885.tif 000002
【図２】
0005296885.tif 000003
【図３】
0005296885.tif 000004
【図４】
0005296885.tif 000005